(57)【要約】  マルチコアファイバ１は、複数のコア５と、コア５の周囲を被覆し、コア５よりも屈折率が低いクラッド３と、クラッド３を被覆する被覆樹脂７とからなる。複数のコア５をまとめて、コア群５ａとする。コア群５ａの範囲内において、コア５は対称性を有するように配置される。マルチコアファイバ１の長手方向と垂直な断面において、クラッド３と樹脂被覆の中心位置は略一致する。一方、マルチコアファイバ１の長手方向と垂直な断面において、マルチコアファイバの中心の位置と、コア群５ａの中心の位置はずれている。
2016084465.tif 000002
【特許請求の範囲】
【請求項１】
複数のコアからなるコア群と、前記コア群を被覆するクラッドと、前記クラッドを被覆する樹脂被覆と、を有する光ファイバであって、
前記光ファイバの長手方向に対して垂直な断面の形態が、前記光ファイバの長手方向を軸とする回転方向に対して方向性を有し、かつ、前記クラッドの中心の位置と、前記コア群の中心の位置が異なることを特徴とする光ファイバ。
【請求項２】
前記光ファイバの長手方向に対して垂直な断面において、複数の前記コアが対称性を有するように配置されて前記コア群が形成されることを特徴とする請求項１記載の光ファイバ。
【請求項３】
前記光ファイバの長手方向に対して垂直な断面における前記クラッドの断面形状が、非真円形であることを特徴とする請求項１記載の光ファイバ。
【請求項４】
前記光ファイバの長手方向に対して垂直な断面における前記クラッドの断面形状が楕円形であることを特徴とする請求項３記載の光ファイバ。
【請求項５】
前記光ファイバの長手方向に対して垂直な断面における前記クラッドの断面形状がしずく形であることを特徴とする請求項３記載の光ファイバ。
【請求項６】
コアと、前記コアを被覆するクラッドと、前記クラッドを被覆する樹脂被覆と、を有する光ファイバであって、
前記光ファイバの長手方向に対して垂直な断面における前記クラッドの断面形状が、非真円形であり、
前記光ファイバの長手方向に対して垂直な断面の形態が、前記光ファイバの長手方向を軸とする回転方向に対して方向性を有し、かつ、前記クラッドの中心の位置と、前記コアの中心の位置が異なることを特徴とする光ファイバ。
【請求項７】
請求項１記載の光ファイバを複数本併設し、その外周をテープ樹脂被覆により被覆したテープ心線であって、
前記テープ心線の長手方向に垂直な断面において、全ての前記光ファイバの前記クラッドが同一の方向に向くように配置されていることを特徴とするテープ心線。
【請求項８】
請求項６記載の光ファイバを複数本併設し、その外周をテープ樹脂被覆により被覆したテープ心線であって、
前記テープ心線の長手方向に垂直な断面において、全ての前記光ファイバの前記クラッドが同一の方向に向くように配置されていることを特徴とするテープ心線。
【請求項９】
複数のコアからなるコア群と、前記コア群を被覆するクラッドと、前記クラッドを被覆する樹脂被覆と、を有する一対の光ファイバの調芯方法であって、
前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、
一対の前記光ファイバの先端の前記樹脂被覆を所定長さ除去する樹脂被覆除去工程と、
一対の前記光ファイバを対向するように配置するファイバ配置工程と、
前記光ファイバの長手方向に対して垂直な複数方向から、前記クラッドにおける前記コアの位置を確認し、それぞれの前記光ファイバの前記コアの位置が一致するように、一方または両方の前記光ファイバを回転させる調芯工程と、
を具備することを特徴とする光ファイバの調芯方法。
【請求項１０】
複数のコアからなるコア群と、前記コア群を被覆するクラッドと、前記クラッドを被覆する樹脂被覆と、を有する複数の光ファイバを用いたテープ心線の製造方法であって、
前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、前記クラッドの断面形状がしずく形であり、
それぞれの前記光ファイバをローラに沿って屈曲させる屈曲工程と、
前記光ファイバをテープ化するテープ化工程と、
を具備することを特徴とするテープ心線の製造方法。
【請求項１１】
複数のコアからなるコア群と、前記コア群を被覆するクラッドと、前記クラッドを被覆する樹脂被覆と、を有する一対の光ファイバの接続構造であって、
前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、
前記光ファイバの長手方向に対して垂直な断面において、一対の前記光ファイバの外形および前記コアの配置が、ほぼ同じであり、それぞれのコア同士およびクラッド同士が接続されていることを特徴とする光ファイバの接続構造。
【発明の詳細な説明】
【技術分野】
【０００１】
本発明は、光ファイバ同士の接続時における調芯作業が容易な光ファイバ等に関するものである。
【背景技術】
【０００２】
近年の光通信におけるトラフィックの急増により、一般的に用いられているシングルコアの光ファイバにおいて伝送容量の限界が近づいている。そこで、さらに通信容量を拡大する手段として、一本の光ファイバに複数のコアが形成されたマルチコアファイバが提案されている。マルチコアファイバを用いることで、光ファイバの敷設コストを抑え、伝送容量の拡大が可能となる。【０００３】
マルチコアファイバが伝送路として用いられた場合、このマルチコアファイバの各コアは、それぞれ別の光ファイバや光素子等と接続されて伝送信号を送受する必要がある。別の光ファイバや光素子等と接続にあたっては、マルチコアファイバを調芯する必要がある。しかし、マルチコアファイバは、断面の中心以外にもコアが配置されているため、シングルコアの光ファイバと比較して調芯が難しいという問題がある。【０００４】
このようなマルチコアファイバの調芯作業を容易にする方法としては、例えば、コアとは別にマーカを配置する方法がある（例えば特許文献１）。
また、マルチコアファイバ以外であっても、光ファイバの長手方向に対して垂直な断面形態が前記光ファイバの長手方向を軸とする回転方向に対して方向性を有する光ファイバは、マルチコアファイバと同様に中心に１つだけコアを有する一般的なシングルコアの光ファイバと比較して調芯が難しいという問題がある。
【先行技術文献】
【特許文献】
【０００５】
【特許文献１】国際公開公報ＷＯ２０１２／１２１０２７
【発明の概要】
【発明が解決しようとする課題】
【０００６】
このような、光ファイバの長手方向に対して垂直な断面において、コアの配置が光ファイバの長手方向を軸とする回転方向に対して方向性を有する光ファイバの調芯作業を容易にする方法が望まれている。【０００７】
本発明は、このような問題に鑑みてなされたもので、調芯作業が容易な光ファイバ等を提供することを目的とする。
【課題を解決するための手段】
【０００８】
前述した目的を達成するため、第１の発明は、複数のコアからなるコア群と、前記コア群を被覆するクラッドと、前記クラッドを被覆する樹脂被覆と、を有する光ファイバであって、前記光ファイバの長手方向に対して垂直な断面の形態が、前記光ファイバの長手方向を軸とする回転方向に対して方向性を有し、かつ、前記クラッドの中心の位置と、前記コア群の中心の位置が異なることを特徴とする光ファイバである。【０００９】
前記光ファイバの長手方向に対して垂直な断面において、複数の前記コアが対称性を有するように配置されて前記コア群が形成されることが望ましい。【００１０】
前記光ファイバの長手方向に対して垂直な断面における前記クラッドの断面形状が、非真円形であることが望ましい。【００１１】
前記光ファイバの長手方向に対して垂直な断面における前記クラッドの断面形状が楕円形であってもよい。【００１２】
前記光ファイバの長手方向に対して垂直な断面における前記クラッドの断面形状がしずく形であってもよい。【００１３】
第１の発明によれば、光ファイバの長手方向に垂直な断面において、クラッドの中心の位置と、コア群の中心の位置が異なるため、特定のコアの位置を識別可能である。また、コア群を構成するコアが対称性を有する配置となっていれば、構造が簡易であり、別の光ファイバや光素子等と接続も容易である。【００１４】
また、クラッドの断面形状が非真円形であれば、調芯時において、外形によってもコアのおおよその位置を特定することができるため、調芯が容易である。この場合、クラッドの断面形状を楕円形やしずく形とすることで、Ｖ溝治具等を利用して、光ファイバの回転方向の向きを規制することができる。【００１５】
第２の発明は、コアと、前記コアを被覆するクラッドと、前記クラッドを被覆する樹脂被覆と、を有する光ファイバであって、前記光ファイバの長手方向に対して垂直な断面における前記クラッドの断面形状が、非真円形であり、前記光ファイバの長手方向に対して垂直な断面の形態が、前記光ファイバの長手方向を軸とする回転方向に対して方向性を有し、かつ、前記クラッドの中心の位置と、前記コアの中心の位置が異なることを特徴とする光ファイバである。【００１６】
第２の発明によれば、光ファイバの長手方向に垂直な断面において、クラッドの中心の位置と、コアの位置が異なるような、単心の光ファイバであっても、クラッドの断面形状が非真円形であるため、調芯時において、外形によってコアの位置を特定することができるため、調芯が容易である。【００１７】
第３の発明は、第１の発明にかかる光ファイバを複数本併設し、その外周をテープ樹脂被覆により被覆したテープ心線であって、前記テープ心線の長手方向に垂直な断面において、全ての前記光ファイバの前記クラッドが同一の方向に向くように配置されていることを特徴とするテープ心線である。【００１８】
第４の発明は、第２の発明にかかる光ファイバを複数本併設し、その外周をテープ樹脂被覆により被覆したテープ心線であって、前記テープ心線の長手方向に垂直な断面において、全ての前記光ファイバの前記クラッドが同一の方向に向くように配置されていることを特徴とするテープ心線である。【００１９】
第３、第４の発明によれば、長手方向のいずれの位置においても、全ての光ファイバの向きがそろっているため、別の光ファイバや光素子等と接続も容易である。【００２０】
第５の発明は、複数のコアからなるコア群と、前記コア群を被覆するクラッドと、前記クラッドを被覆する樹脂被覆と、を有する一対の光ファイバの調芯方法であって、前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、一対の前記光ファイバの先端の前記樹脂被覆を所定長さ除去する樹脂被覆除去工程と、一対の前記光ファイバを対向するように配置するファイバ配置工程と、前記光ファイバの長手方向に対して垂直な複数方向から、前記クラッドにおける前記コアの位置を確認し、それぞれの前記光ファイバの前記コアの位置が一致するように、一方または両方の前記光ファイバを回転させる調芯工程と、を具備することを特徴とする光ファイバの調芯方法である。【００２１】
第５の発明によれば、光ファイバの長手方向に垂直な断面において、コア群がクラッドに対して偏心しているため、誤った向きで光ファイバ同士を接続することを防止することができる。【００２２】
第６の発明は、複数のコアからなるコアと、前記コアを被覆するクラッドと、前記クラッドを被覆する樹脂被覆と、を有する複数の光ファイバを用いたテープ心線の製造方法であって、前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、前記クラッドの断面形状がしずく形であり、それぞれの前記光ファイバをローラに沿って屈曲させる屈曲工程と、前記光ファイバをテープ化するテープ化工程と、を具備することを特徴とするテープ心線の製造方法である。【００２３】
第６の発明によれば、ローラに対して所定の張力で光ファイバを接触させると、しずく形クラッドの重心の偏心方向がローラの接触部に近い側に向くことを利用して、容易に光ファイバの向きを揃えて、テープ心線を製造することができる。【００２４】
第７の発明は、複数のコアからなるコア群と、前記コア群を被覆するクラッドと、前記クラッドを被覆する樹脂被覆と、を有する一対の光ファイバの接続構造であって、前記光ファイバの長手方向に対して垂直な断面の形態が、前記光ファイバの長手方向を軸とする回転方向に対して方向性を有し、かつ、前記クラッドの中心の位置と、前記コア群の中心の位置が異なっており、前記光ファイバの長手方向に対して垂直な断面において、一対の前記光ファイバの外形および前記コアの配置が、ほぼ同じであり、それぞれのコア同士およびクラッド同士が接続されていることを特徴とする光ファイバの接続構造である。【００２５】
第７の発明によれば、光ファイバの長手方向に垂直な断面において、コア群またはコアがクラッドに対して偏心している光ファイバ同士の接続構造を得ることができる。
【発明の効果】
【００２６】
本発明によれば、調芯作業が容易な光ファイバ等を提供することができる。
【図面の簡単な説明】
【００２７】
【図１】マルチコアファイバ１を示す断面図。
【図２（ａ）】マルチコアファイバ１同士の調芯工程を示す図で、調芯前の状態を示す図。
【図２（ｂ）】マルチコアファイバ１同士の調芯工程を示す図で、調芯後の状態を示す図。
【図３】マルチコアファイバ１ａを示す断面図。
【図４】マルチコアファイバ１ａのクラッドをＶ溝治具で保持した状態を示す断面図。
【図５（ａ）】マルチコアファイバ１ａ同士の調芯工程を示す図で、調芯前の状態を示す図。
【図５（ｂ）】マルチコアファイバ１ａ同士の調芯工程を示す図で、調芯後の状態を示す図。
【図６】マルチコアファイバ１ｂを示す断面図。
【図７】マルチコアファイバ１ｂのクラッドをＶ溝治具で保持した状態を示す断面図。
【図８】光ファイバテープ心線製造装置１０を示す平面図。
【図９】光ファイバテープ心線製造装置１０を示す側方図。
【図１０】図９のＨ部におけるマルチコアファイバ１ｂを示す断面図。
【図１１】テープ心線１７を示す断面図。
【図１２（ａ）】マルチコアファイバ１ｃを示す断面図。
【図１２（ｂ）】マルチコアファイバ１ｄを示す断面図。
【図１２（ｃ）】マルチコアファイバ１ｅを示す断面図。
【図１３】テープ心線１７ａを示す断面図。
【図１４（ａ）】光ファイバ１ｆを示す断面図。
【図１４（ｂ）】光ファイバ１ｇを示す断面図。
【発明を実施するための形態】
【００２８】
（第１実施形態）
以下、本発明にかかる光ファイバについて説明する。図１は光ファイバであるマルチコアファイバ１の長手方向と垂直な断面におけるマルチコアファイバ１の断面図である。
【００２９】
マルチコアファイバ１は、複数のコア５と、コア５の外周に配置されたコア５よりも屈折率が低いクラッド３と、クラッド３を被覆する樹脂被覆７とからなる。複数のコア５は所定の間隔で配置される。ここで、本発明では、複数のコア５をまとめて、コア群５ａとする。コア群５ａは、例えば、全部で７つのコア５からなり、コア５は、コア群５ａの中心と、その周囲に正六角形の各頂点位置に配置され、クラッド３で被覆される。すなわち、中心のコア５と周囲の６つのコア５とは全て一定の間隔となり、コア群５ａの範囲内において、コア５は対称性を有するように配置される。
【００３０】
ここで、コア群５ａにおいてコア５が対称性を有するとは、コア５の配置が対称軸を有することとする。コア５は、信号光の導波路となる。なお、コア５の配置は、図示した例には限られない。
【００３１】
クラッド３の外周には、樹脂被覆７が形成される。クラッド３および樹脂被覆７は、断面が略真円形状である。また、マルチコアファイバ１の長手方向と垂直な断面において、クラッド３と樹脂被覆７の中心位置は略一致する。
【００３２】
一方、マルチコアファイバ１の長手方向と垂直な断面において、マルチコアファイバ１（クラッド３）の中心の位置と、コア群５ａの中心の位置は異なっている。ここで、マルチコアファイバ１（クラッド３）の中心線をＡとし、これと垂直な中心線をＢとする。また、同様に、コア群５ａの中心線をＡ、これと垂直な中心線をＣとする。図に示した例では、中心線Ａが共通し、中心線Ｂと中心線Ｃがずれた位置となる。なお、図１は、中心線Ａが共通する例を示したが、中心線Ａと垂直な方向にも、両者がずれていてもよい。
【００３３】
また、マルチコアファイバ１の中心の位置と、コア群５ａの中心の位置のずれ量は、識別の観点から１μｍより大きいことが好ましく、より好ましくは２μｍ以上である。ただし、ずれ量が大きすぎるとクラッド外径を大きくする必要があるなどの問題が生じるため、１０μｍ以下であることが好ましい。
【００３４】
マルチコアファイバ１の長手方向に対して垂直な断面の形態は、マルチコアファイバ１の長手方向を軸とする回転方向に対して方向性を有する。そこで、次に、マルチコアファイバ１を接続する際の調芯方法について説明する。図２（ａ）、図２（ｂ）は、マルチコアファイバ１同士の調芯工程を示す図である。まず、接続対象である一対のマルチコアファイバ１のそれぞれの先端の樹脂被覆７を所定長さ除去する（樹脂被覆除去工程）。次に、図２（ａ）に示すように、一対のマルチコアファイバ１を対向するように配置する（ファイバ配置工程）。
【００３５】
この状態で、クラッド３の側方から、コア５の位置を確認する。より具体的には、まず、マルチコアファイバ１の長手方向に対して垂直な複数方向（例えば、図１のＤ方向およびＥ方向）から、クラッド３等の位置を確認する。クラッド３の長手方向に垂直な方向（図の上下方向および紙面に垂直な方向。以下、Ｘ方向およびＹ方向とする。）の位置ずれは、外形の位置を確認することで、調整することができる。
【００３６】
Ｘ方向、Ｙ方向の調芯が完了すると、マルチコアファイバ１の長手方向を回転軸とした回転方向の位置（以下、単に回転方向とする）を調芯する。前述した様に、マルチコアファイバ１の長手方向に対して垂直な複数方向からクラッド３、コア５を確認することで、クラッド３内部のコア５の位置を確認することができる。本発明では、コア群５ａの位置が、クラッド３の中心から偏心しているため、所望のコア５同士が対向する位置にないと、コア５の位置がずれて視認される。
【００３７】
次に、図２（ｂ）に示すように、それぞれのマルチコアファイバ１の一方または両方を、マルチコアファイバ１の長手方向を回転軸として回転させて（図中矢印Ｆ、矢印Ｇ）、コア５の位置を一致させる（調芯工程）。いずれのコア５の確認方向（図１のＤ方向およびＥ方向）においても、それぞれのマルチコアファイバ１のコア５の位置が一致すると、マルチコアファイバ１同士の調芯作業が完了する。この状態で、マルチコアファイバ１同士の先端を融着接続することで、マルチコアファイバ１の長手方向に対して垂直な断面において、互いの外形およびコアの配置がほぼ同じであるマルチコアファイバ１同士のそれぞれのコア同士およびクラッド同士が接続され、一対のマルチコアファイバの接続構造を得ることができる。
【００３８】
以上、本実施の形態によれば、マルチコアファイバ１同士の調芯作業の際、コア群５ａがクラッド３の断面において偏心しているため、誤ったコア５同士を接続してしまうことがない。また、対称性を壊す位置にコア識別のためのマーカ等を配置する必要がないため、構造が複雑化しない。
【００３９】
また、コア５が対称性を有する配置であるため、コア５のレイアウト設計が容易である上、別の光ファイバや光素子等と接続も容易である。
【００４０】
なお、以上の説明では、マルチコアファイバ１の長手方向に対して垂直な断面において、複数のコア５が対称性を有するように配置されてコア群５ａが形成される例について説明したが、マルチコアファイバ１の長手方向に対して垂直な断面の形態が、マルチコアファイバ１の長手方向を軸とする回転方向に対して方向性を有するものであれば、本発明は適用可能である。以下の説明では、特に記載がない限り、断面のコアの配置が対称性を有する場合について説明するが、回転方向に対して方向性を有するものであってもよい。
【００４１】
（第２実施形態）
次に、第２の実施形態について説明する。図３は、第２の実施の形態にかかるマルチコアファイバ１ａを示す断面図である。なお、以下の説明において、マルチコアファイバ１等と同様の機能を奏する構成については、図１等と同一の符号を付して、重複する説明を省略する。
【００４２】
マルチコアファイバ１ａは、マルチコアファイバ１とほぼ同様の構成であるが、クラッド３ａが非真円形である点で異なる。より具体的には、マルチコアファイバ１ａのクラッド３ａは略楕円形である。
【００４３】
マルチコアファイバ１ａは、マルチコアファイバ１と同様に、マルチコアファイバ１ａのクラッド３ａの中心（長軸方向の中心線Ａと短軸方向の中心線Ｂの交点）と、コア群５ａの中心（中心線Ａと中心線Ｃの交点）がずれている。すなわち、コア群５ａは、クラッド３ａに対して偏心して配置される。なお、コア群５ａの偏心方向は、長軸方向であることが望ましい。この場合、クラッド３ａの長軸方向の中心線Ａとコア群５ａの同一方向の中心線Ａとが共通する。なお、樹脂被覆７の断面外形は略真円である。また、樹脂被覆７の中心とクラッド３ａの中心は略一致する。
【００４４】
マルチコアファイバ１ａの調芯を行う場合には、マルチコアファイバ１と同様に、まず、接続対象である一対のマルチコアファイバ１ａのそれぞれの先端の樹脂被覆７を所定長さ除去する。
【００４５】
次に、図４に示すように、樹脂被覆７を除去した範囲において、クラッド３ａを一対のＶ溝治具９ａ、９ｂで挟み込む。Ｖ溝治具９ａ、９ｂは、それぞれＶ溝が形成された部材である。
【００４６】
なお、このようなＶ溝治具は、メカニカルスプライスなどで一般に使用されている。適切な形状のＶ溝で抑え込むと、マルチコアファイバ１ａの断面の長軸方向がＶ溝治具の対向方向になるように自然と抑え込むことができる。従って、常に一定の回転方向にそろうように整列することが容易になる。例えば、融着機のファイバホルダーにこの機構を設ければ、多心テープで一括接続も可能になる。多心テープである程度の整列がされていれば、樹脂被覆７を剥いだ状態のクラッド３ａをＶ溝で押さえ込めば、回転方向が合わせられるためである。
【００４７】
このように、Ｖ溝の形状をクラッド３ａに対応させることで、クラッド３ａをＶ溝治具９ａ、９ｂで挟み込むだけで、マルチコアファイバ１ａの回転方向の向きを、概ね図示した方向に揃えることができる。このような、Ｖ溝治具９ａ、９ｂで挟み込まれたマルチコアファイバ１ａ同士を対向させることで、調芯を容易に行うことができる。
【００４８】
なお、Ｖ溝での調芯を仮調芯として、その後、それぞれのマルチコアファイバ１ａの少なくとも一方を回転させて、コア５の位置を一致させることで、調芯を行ってもよい。前述した様に、複数のコア５の確認方向（図１のＤ方向およびＥ方向）において、それぞれのマルチコアファイバ１ａのコア５の位置が一致するように少なくとも一方のマルチコアファイバ１ａを回転させることで調芯を行うことができる。
【００４９】
また、図５（ａ）に示すように、Ｖ溝治具を用いなくても、一対のマルチコアファイバ１ａを対向するように配置すると、マルチコアファイバ１ａの回転方向の位置によって、外形が異なるように視認される。したがって、例えば、マルチコアファイバ１ａの側面から複数の外形計測器でクラッド３ａの形を計測し、互いの長軸と短軸を合わせるよう少なくとも一方のマルチコアファイバ１ａを回転させることで、図５（ｂ）に示すように、調芯を行うことができる。その後さらに、コア５の位置が一致していることを確認してもよい。この状態で、マルチコアファイバ１ａ同士の先端を融着接続することで、マルチコアファイバ同士を接続し、マルチコアファイバの接続構造を得ることができる。
【００５０】
第２の実施形態によれば、第１の実施形態と同様の効果を得ることができる。また、クラッド３ａが非真円形（楕円形）であるため、Ｖ溝治具によって、容易に調芯を行うことができる。また、外形を確認することで、調芯を行うこともできる。
【００５１】
また、楕円形同士のクラッド３ａを有するため、融着の際、溶融したガラスの表面張力によって、例えばクラッド３ａの長軸方向の端部同士が引き寄せあうことが期待できる。このため、多少の回転方向の位置ずれが、融着時に緩和される可能性もある。
【００５２】
（第３実施形態）
次に、第３の実施形態について説明する。図６は、第３の実施の形態にかかるマルチコアファイバ１ｂを示す断面図である。マルチコアファイバ１ｂは、マルチコアファイバ１ａとほぼ同様の構成であるが、クラッド３ｂが略しずく形である点が異なる。すなわち、クラッド３ｂも非真円形である。なお、樹脂被覆７の断面外形は略真円形状である。また、樹脂被覆７の中心とクラッド３ａの中心は略一致する。
【００５３】
ここで、しずく形とは、全周が連続した円弧状に形成されており、楕円と同様に、長軸およびこれと直交する短軸とを有し、長軸を対称軸として略線対称な形状であるとともに、長軸上の一方の円弧部とこれと対向する他方の円弧部の曲率半径が互いに異なる形状である。図示した例では、長軸方向の中心線Ａ上の上方の円弧部が小径部４ａであり、下方の円弧部が小径部４ａよりも曲率半径の大きな大径部４ｂとなる。
【００５４】
マルチコアファイバ１ｂは、マルチコアファイバ１と同様に、マルチコアファイバ１ｂのクラッド３ｂの中心（長軸方向の中心線Ａと短軸方向の中心線Ｂの交点）と、コア群５ａの中心（中心線Ａと中心線Ｃの交点）がずれている。ここで、クラッド３ｂの短軸方向の中心線Ｂは、中心線Ａと直交し、中心線Ａ上の長軸方向のクラッド３ｂの長さ（最大長さ）に対し、端部からその１／２となる位置を通る中心線をいう。
【００５５】
このように、コア群５ａは、クラッド３ｂに対して偏心して配置される。なお、コア群５ａの偏心方向は、長軸方向であって、曲率半径の大きな大径部４ｂ側であることが望ましい。この場合、クラッド３ｂの長軸方向の中心線Ａとコア群５ａの同一方向の中心線とが共通する。
【００５６】
マルチコアファイバ１ｂの調芯を行う場合には、マルチコアファイバ１ａと同様に、Ｖ溝治具９ａ、９ｂを用いることができる。まず、接続対象である一対のマルチコアファイバ１ｂのそれぞれの先端の樹脂被覆７を所定長さ除去した後、図７に示すように、樹脂被覆７を除去した範囲において、クラッド３ｂを一対のＶ溝治具９ａ、９ｂで挟み込む。
【００５７】
なお、適切な形状のＶ溝で抑え込むと、マルチコアファイバ１ｂの断面の長軸方向がＶ溝治具の対向方向になるように自然と抑え込むことができる。特に、Ｖ溝治具９ａのＶ溝形状を、クラッド３ｂの大径部４ｂに適した形状とし、Ｖ溝治具９ｂのＶ溝形状を、クラッド３ｂの小径部４ａに適した形状とすれば、クラッド３ｂの向きを自然とそろえることもできる。
【００５８】
このように、Ｖ溝の形状をクラッド３ｂに対応させることで、クラッド３ｂをＶ溝治具９ａ、９ｂで挟み込むだけで、マルチコアファイバ１ｂの回転方向の向きを、概ね図示した方向に揃えることができる。このようにして、Ｖ溝治具９ａ、９ｂで挟み込まれたマルチコアファイバ１ａ同士を対向させることで、調芯を行うことができる。
【００５９】
なお、Ｖ溝での調芯を仮調芯として、その後、それぞれのマルチコアファイバ１ｂの少なくとも一方を回転させて、コア５の位置を一致させることで、調芯を行ってもよい。前述した様に、複数のコア５の確認方向（図１のＤ方向およびＥ方向）において、それぞれのマルチコアファイバ１ｂのコア５の位置が一致するように少なくとも一方のマルチコアファイバ１ｂを回転させることで調芯を行うことができる。
【００６０】
また、前述した様に、Ｖ溝治具を用いなくても、一対のマルチコアファイバ１ｂを対向するように配置した状態でクラッド３ｂの外形を計測し、互いの長軸と短軸を合わせるよう少なくとも一方のマルチコアファイバ１ｂを回転させることで、調芯を行うこともできる。その後さらに、コア５の位置が一致していることを確認してもよい。
【００６１】
次に、マルチコアファイバ１ｂを用いたテープ心線の製造方法について説明する。前述したマルチコアファイバ１ａと同様に、Ｖ溝治具９ａ、９ｂによって、複数のマルチコアファイバ１ｂのそれぞれの回転方向位置を揃えた状態でテープ化することもできるが、他の方法を用いることもできる。
【００６２】
図８は、光ファイバテープ心線製造装置１０を示す概略平面図、図９は、光ファイバテープ心線製造装置１０を示す概略側方図である。光ファイバテープ心線製造装置１０は、ローラ１３、テープ樹脂被覆部１５等からなる。なお、図示した例では、４本のマルチコアファイバ１ｂをテープ化する例を示すが、マルチコアファイバ１ｂの本数は問わない。
【００６３】
ボビン１１から繰り出されたマルチコアファイバ１ｂは、それぞれローラ１３に送られる。マルチコアファイバ１ｂは、所定の張力が付与された状態でローラ１３に接して屈曲する。
【００６４】
図１０は、図９のＨ部における部分断面図である。図１０に示すように、所定の張力を付した状態でマルチコアファイバ１ｂをローラ１３に接触させて屈曲させると、マルチコアファイバ１ｂは、より安定な回転方向の向きとなるように、自身で回転する。具体的には、クラッド３ｂの重心位置（大径部４ｂ）が、ローラ１３側（屈曲部の内周側）にくるように、マルチコアファイバ１ｂが回転する。これは、大径部４ｂ側は、小径部４ａ側と比較して、軽量で伸びやすい樹脂被覆７の量が少ないため、変形のしやすい小径部４ａが外周側に向き、重心に近く変形のしにくい大径部４ｂがローラ１３に押し付けられるようになるためと思われる。
【００６５】
より具体的には、マルチコアファイバ１ｂの長手方向に垂直な断面において、クラッド３ｂの長軸と直交する樹脂被覆７の中心線（すなわち、図６の中心線Ｂ）でマルチコアファイバ１ｂの断面を二つの領域に区分した場合、マルチコアファイバ１ｂの断面のそれぞれの領域におけるクラッド３ｂが占める割合を比較すると、小径部４ａ側よりも大径部４ｂ側の方が、クラッド３ｂの占める割合が多く、大径部４ｂ側よりも小径部４ａ側の方が、樹脂被覆７の占める割合が多い。ここで、マルチコアファイバ１ｂの断面における任意の中心線で領域を区分した場合において、最もクラッド３ｂの割合が多くなる方向が、ローラ１３側となる方向に安定しやすい。したがって、大径部４ｂ側がローラ１３側に押し付けられる方向に回転する。
【００６６】
このように、それぞれのマルチコアファイバ１ｂがローラ１３との接触によって、より安定な向きに揃えられ、すべて一定の向きに揃ったマルチコアファイバ１ｂは、テープ樹脂被覆部１５を通過する。テープ樹脂被覆部１５では、複数本のマルチコアファイバ１ｂが整列されて、外周部にテープ樹脂被覆が塗布される。テープ樹脂被覆部１５は、例えば、整列ダイスや押出ダイスからなる押出機である。
【００６７】
テープ樹脂被覆部１５で塗布されたテープ樹脂被覆は、必要に応じて、乾燥やＵＶ照射によって硬化する。複数本のマルチコアファイバ１ｂが一体化されたテープ心線１７は、図示を省略した巻き取り装置によって巻き取られる。以上により、テープ心線１７が製造される。
【００６８】
図１１は、テープ心線１７の断面図である。前述した様に、テープ心線１７は、複数のマルチコアファイバ１ｂが併設されて、その外周をテープ樹脂被覆１９で被覆して一体化されたものである。テープ心線１７の長手方向に垂直な断面において、全てのマルチコアファイバ１ｂのクラッド３ｂが同一の方向に向くように配置される。より具体的には、クラッド３ｂの大径部４ｂが、テープ心線１７の同一の面方向に揃うように配置される。
【００６９】
この結果、全てのマルチコアファイバ１ｂのコア５の配置が、全て同じ向きに配列するようにマルチコアファイバ１ｂが配置される。例えば、図示した例では、３つのコア５をつなぐそれぞれのマルチコアファイバ１の一つの中心線が、全て、テープ心線１７の厚み方向（図の上下方向）に向くようにマルチコアファイバ１が配置される。また、テープ心線１７は、テープ心線１７の長手方向の全長にわたって、コア５の配列が略一定である。すなわち、テープ心線１７の長手方向の任意の断面において、常に、コア５の配列が略一定となる。
【００７０】
第３の実施形態によれば、第２の実施形態と同様の効果を得ることができる。また、クラッド３ｂがしずく形であるため、クラッド３ａと同様の調芯方法以外に、光ファイバテープ心線製造装置１０によって、容易にテープ心線を製造することができる。
【００７１】
なお、光ファイバテープ心線製造装置１０においては、マルチコアファイバ１ｂの自己の回転力を利用する。このため、ボビン１１とローラ１３との間（他の構成がある場合には、他の構成とローラ１３との間）の距離を十分にとる必要がある。この距離が短いと、マルチコアファイバ１ｂの回転がボビン１１等によって拘束されて、自由な回転が阻害される恐れがあるためである。
【００７２】
（他のマルチコアファイバの実施形態）
本発明に適用可能なマルチコアファイバは、前述したような形態には限られない。例えば、図１２（ａ）に示すように、コア５が列をなして配列したマルチコアファイバ１ｄにも適用が可能である。図示した例では、コア５が２列に配列した例を示す。この場合でも、コア５を包含する最小円をコア群５ａとし、この中心がクラッド３の中心とずれるように配置すればよい。
【００７３】
また、図１２（ｂ）に示すマルチコアファイバ１ｄのように、このようなコア５の配置を、楕円形のクラッド３ａと組み合わせてもよい。また、図１２（ｃ）に示すマルチコアファイバ１ｅのように、このようなコア５の配置を、しずく形のクラッド３ｂと組み合わせてもよい。
【００７４】
また、本発明は、マルチコアファイバ１ｂ以外の他のマルチコアファイバについても、テープ心線とすることができる。図１３は、一例としてマルチコアファイバ１を用いたテープ心線１７ａの断面図である。テープ心線１７ａは、マルチコアファイバ１の端面の側方観察で、コア５の位置を観察し、全てのマルチコアファイバ１の方向を合わせながら、外周に被覆樹脂を設けてテープ化することで製造される。このようにすることで、テープ心線１７ａの長手方向に垂直な断面において、全てのマルチコアファイバ１のクラッド３が同一の方向に向くように配置することができる。
【００７５】
（他の光ファイバの実施形態）
本発明は、単一のコア５を有する光ファイバにも適用が可能である。
【００７６】
例えば、図１４（ａ）に示す光ファイバ１ｆは、単一のコア５と、コア５を被覆するクラッド３ｂと、クラッド３ｂを被覆する樹脂被覆７とを有する。光ファイバ１ｆの長手方向に対して垂直な断面におけるクラッド３ｂの断面形状は、非真円形（図ではしずく形の例を示す）である。コア５の位置（中心線Ａと線Ｃとの交点）は、クラッド３ｂの中心位置（中心線Ａ，Ｂの交点）からずれた位置に配置される。したがって、光ファイバ１ｆの長手方向に対して垂直な断面の形態が、光ファイバ１ｆの長手方向を軸とする回転方向に対して方向性を有する。
【００７７】
この場合には、クラッド３ｂの断面形状は、非真円形であるので、図７に示したＶ溝治具９ａ、９ｂを用い、適切な形状のＶ溝で抑え込むことで、光ファイバ１ｆの断面の長軸方向がＶ溝治具の対向方向になるように自然と抑え込むことができる。従って、常に一定の回転方向にそろうように整列することが容易になる。また、一対の光ファイバ１ｆを調芯する場合は、コア５の確認方向（図１のＤ方向およびＥ方向）において、それぞれの光ファイバ１ｆのコア５の位置が一致するように少なくとも一方の光ファイバ１ｆを回転させることで、一対の光ファイバ１ｆの調芯を行うこともできる。
【００７８】
また、図５（ａ）に示すように、一対の光ファイバ１ｆを対向するように配置した場合、光ファイバ１ｆの回転方向の位置によって、外形が異なるように視認される。したがって、例えば、光ファイバ１ｆの側面から複数の外形計測器でクラッド３ｂの形を計測し、互いの長軸と短軸を合わせるよう少なくとも一方の光ファイバ１ｆを回転させることで、調芯を行うことができる。
【００７９】
このように、接続対象である一対の光ファイバ１ｆのそれぞれの先端の樹脂被覆７を所定長さ除去し（樹脂被覆除去工程）、一対の一対の光ファイバ１ｆを対向するように配置し（ファイバ配置工程）、一対の前記光ファイバを、一対のＶ溝治具でそれぞれ挟み込んで保持し、前記光ファイバの回転方向の向きを揃える（調芯工程）によって、確実に光ファイバ１ｆ同士の調芯を行うことができる。
【００８０】
また、この様にして、一対の光ファイバの長手方向に対して垂直な断面において、それぞれの光ファイバの外形およびコアの配置がほぼ同じ光ファイバ１ｆ同士に対し、互いのコア５同士およびクラッド３ｂ同士を融着して接続することで、一対の光ファイバの接続構造を得ることができる。
【００８１】
また、図１４（ｂ）は、光ファイバ１ｆに対して、コア５とは別にマーカ６が配置された光ファイバ１ｇを示す図である。光ファイバ１ｇのように、コア５とは別に、クラッド３ｂの側方から、コア５よりも確認しやすい位置にマーカ６を配置してもよい。この場合、マーカ６の確認方向（図１のＤ方向およびＥ方向）において、それぞれの光ファイバ１ｇのマーカ６の位置が一致するように少なくとも一方の光ファイバ１ｇを回転させることで調芯を行い、テープ化や接続を行うことができる。
【００８２】
また、光ファイバ１ｆ、１ｇのように、クラッドの外径がしずく形の場合には、図８、図９に示した光ファイバテープ心線製造装置１０を用いて、単心の光ファイバ１ｆ、１ｇからなるテープ心線を製造することも可能である。すなわち、それぞれの光ファイバ１ｆ、１ｇをローラに沿って屈曲させる屈曲工程と、光ファイバ１ｆ、１ｇをテープ化するテープ化工程とから、テープ心線を製造することができる。このように、複数の光ファイバ１ｆ、１ｇが複数本併設され、その外周がテープ樹脂被覆により被覆されたテープ心線を得ることができる。また、この際、テープ心線の長手方向に垂直な断面において、全ての光ファイバ１ｆ、１ｇのクラッド３ｂが同一の方向に向くように配置することができる。
【００８３】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００８４】
例えば、非真円形のクラッドの断面形状としては、楕円形やしずく形以外であってもよい。
【符号の説明】
【００８５】
１、１ａ、１ｂ、１ｃ………マルチコアファイバ
１ｆ、１ｇ………光ファイバ
３、３ａ、３ｂ………クラッド
４ａ………小径部
４ｂ………大径部
５………コア
５ａ………コア群
６………マーカ
７………樹脂被覆
９ａ、９ｂ………Ｖ溝治具
１０………光ファイバテープ心線製造装置
１１………ボビン
１３………ローラ
１５………テープ樹脂被覆部
１７………テープ心線
１９………テープ樹脂被覆
【図１】
2016084465.tif 000003
【図２（ａ）】
2016084465.tif 000004
【図２（ｂ）】
2016084465.tif 000005
【図３】
2016084465.tif 000006
【図４】
2016084465.tif 000007
【図５（ａ）】
2016084465.tif 000008
【図５（ｂ）】
2016084465.tif 000009
【図６】
2016084465.tif 000010
【図７】
2016084465.tif 000011
【図８】
2016084465.tif 000012
【図９】
2016084465.tif 000013
【図１０】
2016084465.tif 000014
【図１１】
2016084465.tif 000015
【図１２（ａ）】
2016084465.tif 000016
【図１２（ｂ）】
2016084465.tif 000017
【図１２（ｃ）】
2016084465.tif 000018
【図１３】
2016084465.tif 000019
【図１４（ａ）】
2016084465.tif 000020
【図１４（ｂ）】
2016084465.tif 000021
【国際調査報告】
2016084465.tif 000022
2016084465.tif 000023
2016084465.tif 000024
2016084465.tif 000025